(57)【要約】【課題】給水管による給水中に断水が発生した際に、給水管内が負圧になってしまい、逆サイホン作用によって排水系統内の汚水が給水系統内の奥深くへ逆流するのを効果的に阻止できるバキュームブレーカを提供する。【解決手段】給水用具に内蔵される大気圧式のバキュームブレーカにおいて、内部には一次側流路９ｆと二次側流路９ｈが設けられ、前記一次側流路９ｆの元側の直径ｄｌ、前記二次側流路９ｈの直径ｄ２、及び、前記一次側流路９ｆの吐出口ａ３の直径ｄ３がｄ２≦ｄ３≦ｄｌの関係を有し、また前記一次側流路９ｆの元側と吐出口ａ３とが導通され、且つ前記一次側流路９ｆと前記二次側流路９ｈとは前記二次側流路９ｈが前記一次側流路９ｆの元側と吐出口ａ３との何れにも接触しないように偏芯状に配置された構成となす。【選択図】図３
2006342944.tif 000002
【特許請求の範囲】
【請求項１】
給水用具に内蔵される大気圧式のバキュームブレーカにおいて、内部には一次側流路と二次側流路が設けられ、前記一次側流路の元側の直径ｄｌ、前記二次側流路の直径ｄ２、及び、前記一次側流路の吐出口の直径ｄ３がｄ２≦ｄ３≦ｄｌの関係を有し、また前記一次側流路の元側と吐出口とが導通され、且つ前記一次側流路と前記二次側流路とは前記二次側流路が前記一次側流路の元側と吐出口との何れにも接触しないように偏芯状に配置されたことを特徴とするバキュームブレーカ。
【請求項２】
前記一次側流路の吐出口の直径ｄ３を前記二次側流路の直径ｄ２の１．５倍以下となし、且つ、前記本体部に負圧破壊のために形成された空気取り入れ口の開口径が前記吐出口の直径ｄ３の１．５倍以上となしたことを特徴とする請求項１記載のバキュームブレーカ。
【請求項３】
前記バキュームブレーカの本体部は一次側流路の吐出口の先端部が凸形状となっており、且つ内方に設けられた負圧破壊用の弁体の中心に前記吐出口を対向させ、弁体の袋部は吐出口の先端部におおいかぶさるように形成し、該吐出口と前記弁体との上下方向距離を比較的小さくなしたことを特徴とする請求項１又は２記載のバキュームブレーカ。
【請求項４】
前記本体部の上面及び外周面を覆うカバーを設け、該カバーの周面部に大気圧開放の空気孔と、前記本体部より漏水した水が流し台の上面に流れ落ちることを可能とした小穴とを設けたことを特徴とする請求項１〜３の何れかに記載のバキュームブレーカ。
【請求項５】
バキュームブレーカ本体の外周をテーパをつけた形状にし、前記カバーとのすき間を設けたことを特徴とする請求項４記載のバキュームブレーカ。
【請求項６】
前記バキュームブレーカの本体部を円筒体となし、該円筒体の底面に給水用の出入口を形成されると共に、該円筒体の底面から特定高さまでの外周面はあふれ面より上方にある設置面に設けられた取付け孔に内挿される雄ネジ部となすほか、該取付け孔の直径は凡そ３５ｍｍ〜３８ｍｍ程度となされていることを特徴とする請求項１〜５の何れかに記載のバキュームブレーカ。
【発明の詳細な説明】
【技術分野】
【０００１】
この発明は、上水道から直接、排水系統に接続する給水用具において、負圧による逆流を防止するための負圧破壊装置に関し、およびこのバキュームブレーカを用いた厨芥処理装置用の給水用具に関するものである。
【背景技術】
【０００２】
吸排気弁や負圧破壊装置として、特許文献１に示すようなものが従来より存在している。
【０００３】
【特許文献１】特公２０００−１７０９３６号公報
【発明の開示】
【発明が解決しようとする課題】
【０００４】
排水系統への給水を自動的に行う上記の技術においては、一次側給水系統を直接、排水系統に接続するため、電磁弁の開放状態の下で断水が発生した際に、給水管内が負圧になってしまい、逆サイホン作用によって排水系統の汚水が給水系統内の奥深くへ逆流する恐れがある。
【０００５】
該逆流を防止するには電磁弁から排水系統までの給水系統にバキュームブレーカを設けることが考えられるが、一般的に流通しているバキュームブレーカは、例えば図７に示すように使用される。又、バキュームブレーカが万一、作動上に不具合を期たした時のことを配慮して、バキュームブレーカと排水系統の給水入口との間に逆止弁１８を設けた例もあるが、この場合、粉砕された生ごみ片が給水管内やその直近付設された逆止弁に付着し、逆流防止の機能を損なう恐れがある。
図７中、１は流し台のシンク、２は流し台の天板、３は排水口、４は厨芥粉砕処理装置、４ａは厨芥粉砕処理装置４内の粉砕処理室、５はバキュームブレーカ、６は一次側給水系統、７は二次側給水系統、８は一次側給水系統６と二次側給水系統７を接続するためのＴ継手である。
【０００６】
図７に示すものでは、バキュームブレーカ５は空気調和衛生工学会の規定（ＳＨＡＳＥ−Ｓ２０６）により天板２より１５０ｍｍ以上高い位置に設置しなければならないのであり、またバキュームブレーカ５の一次側給水系統６と二次側の給水系統７を天板２より上方へ立ち上げるため２つの孔を天板に設けることが必要となって、天板２に設けられる穴数が複数になると共に、バキュームブレーカ５の設置場所の問題や意匠的な問題があるほか、バキュームブレーカ５周辺構造のコンパクト性に欠けたものとなってしまう。
【０００７】
またフロートとなされた弁体を具備した在来のバキュームブレーカでは、給水時に水圧でフロートを浮かせ、該フロートで負圧破壊のための空気取り入れ口を塞いで該空気取り入れ口から水が溢れ出ないようにしているものの、給水開始時に水が飛び散ることがある。
【０００８】
本発明は、主に上記のような問題点を解消できるものとした給水用具に内蔵される負圧破壊装置を提供することを目的とする。
【課題を解決するための手段】
【０００９】
上記目的を達成するため、本発明は請求項１に記載したように、給水用具に内蔵される大気圧式のバキュームブレーカにおいて、内部には一次側流路と二次側流路が設けられ、前記一次側流路の元側の直径ｄｌ、前記二次側流路の直径ｄ２、及び、前記一次側流路の吐出口の直径ｄ３がｄ２≦ｄ３≦ｄｌの関係を有し、また前記一次側流路の元側と吐出口とが導通され、且つ前記一次側流路と前記二次側流路とは前記二次側流路が前記一次側流路の元側と吐出口との何れにも接触しないように偏芯状に配置されたことを特徴とするものである。
【００１０】
上記発明は次のように具体化するのがよい。
即ち、請求項２に記載したように、前記一次側流路の吐出口の直径ｄ３を前記二次側流路の直径ｄ２の１．５倍以下となし、且つ、前記本体部に負圧破壊のために形成された空気取り入れ口の開口径が前記吐出口の直径ｄ３の１．５倍以上となす。
【００１１】
また請求項３に記載したように、前記バキュームブレーカの本体部は一次側流路の吐出口の先端部が凸形状となっており、且つ内方に設けられた負圧破壊用の弁体の中心に前記吐出口を対向させ、弁体の袋部は吐出口の先端部におおいかぶさるように形成し、該吐出口と前記弁体との上下方向距離を比較的小さくなした構成となす。
【００１２】
また請求項４に記載したように、前記本体部の上面及び外周面を覆うカバーを設け、該カバーの周面部に大気圧開放の空気孔と、前記本体部より漏水した水が流し台の上面に流れ落ちることを可能とした小穴とを設ける。
【００１３】
また請求項５に記載したように、バキュームブレーカ本体の外周をテーパをつけた形状にし、前記カバーとのすき間を設ける。
【００１４】
さらには請求項６に記載したように、前記バキュームブレーカの本体部を円筒体となし、該円筒体の底面に給水用の出入口を形成されると共に、該円筒体の底面から特定高さまでの外周面は設置面に設けられた取付け孔に内挿される雄ネジ部となすほか、該取付け孔の直径は凡そ３５ｍｍ〜３８ｍｍ程度となされている構成となす。
【発明の効果】
【００１５】
本発明によれば、次のような効果が得られる。
即ち、電磁弁及びバキュームブレーカを通じて排水系統へ給水している際に不用意な断水が生じたとき、給水系統内に逆サイフォン作用による負圧が発生し、該負圧に起因して排水系統内の汚物が本体部の給水口を経て給水系統内に逆流しようとするが、バキュームブレーカの弁体が落下して、空気取り入れ口（１０ｆ）が開くので、急速に大気が取り入れられ、負圧が破壊される。従って不用意な断水が生じても、厨芥粉砕処理装置内の汚物が給水系統内の奥深くに逆流する事態は確実に阻止されるものとなる。
【００１６】
特に、請求項１記載の発明によれば、バキュームブレーカ内の一次側流路の元側の直径ｄｌ、二次側流路の直径ｄ２、及び、一次側流路の吐出口の直径ｄ３がｄ２≦ｄ３≦ｄｌの関係を有しているため、二次側流路の直径ｄ２を適当に決定することにより、厨芥粉砕処理装置への必要量の給水がバキュームブレーカを通じて的確に行えるものとなり、また一次側流路の元側と吐出口とが導通され、且つ一次側流路と二次側流路とは二次側流路が一次側流路の元側と吐出口との何れにも接触しないように偏芯状に配置されているため、バキュームブレーカの本体部を小さくなすことができるものである。
【００１７】
また請求項２記載の発明によれば、一次側流路の吐出口の直径ｄ３を二次側流路の直径ｄ２の１．５倍以下となし、且つ、バキュームブレーカの本体部に負圧破壊のために形成された空気取り入れ口の開口径が前記吐出口の直径ｄ３の１．５倍以上となしたため、バキュームブレーカの本体部がコンパクトになる上に給水系統の負圧破壊性能のＳＨＡＳＥによる基準を充たすものとなる。
【００１８】
また請求項３記載の発明によれば、次のような効果が得られる。
即ち、従来の技術では図６Ａに示すように、吐出口ａ３の外周面部９ｄの上面がフラットになっており、その上に弁体１１があるため、上下方向へ大きいスペースが必要であった。しかし、この発明では図６Ｂに示すように、吐出口ａ３の先端部が凸形状となっており、且つ弁体１１の中心に吐出口ａ３を対向させ、弁体１１の袋部ｅ１は吐出口ａ３の先端部におおいかぶさるように形成し、該吐出口ａ３と前記弁体１１との上下方向距離を比較的小さくなしたことから、弁体１１の配置高さを距離Ｌｈだけ低くすることができて、特に上下方向のスペースを小さくすることができる。また吐出口ａ３から吐出される水の圧力が弁体１１の中心部に効率よく付与されるようになるため、吐出口ａ３から水の吐き出される始動時に空気取り入れ口１０ｆから水が溢れることが無くなるのである。
【００１９】
また請求項４記載の発明によれば、バキュームブレーカの本体部の空気取り入れ口が他物で塞がれる事態をカバーにより阻止できるものとなってバキュームブレーカの機能障害を防止することができ、また不具合などにより空気取り入れ口から漏れた水が流し台の外方に流れ落ちるのを阻止することができる。
【００２０】
また請求項５記載の発明によれば、バキュームブレーカ本体の大気圧開放が円滑化されると共に、バキュームブレーカ本体からの溢れ水がカバーの外方へ円滑に流出するものとなるほか、バキュームブレーカ本体へのカバーの装着が容易化される。
【００２１】
さらに請求項６記載の発明によれば、流し台の天板に直径凡そ３５ｍｍ〜３８ｍｍ程度の孔を１つ設けることでバキュームブレーカを天板上に固定することができるようになり、またバキュームブレーカの本体部の底面に給水の出入口を設けたため給水系統を天板の下面側でバキュームブレーカに接続することができて、バキュームブレーカの平面設置場所が小さくなり、またバキュームブレーカを取り付けるための天板の孔が少なくなってバキュームブレーカ周辺の外観が良好となり、さらには流し台の天板からバキュームブレーカ上端までの高さも低くなってバキュームブレーカ周辺構造がコンパクト化するものとなる。
【発明を実施するための最良の形態】
【００２２】
以下、本発明の実施の形態について説明する。
図１は本発明の一実施例に係る流し台厨芥処理装置の概要図、図２は前記台厨芥処理装置の一部を省略した概要図、図３は前記流し台厨芥処理装置のバキュームブレーカを示しＡは断面図でＢは底面図、図４は前記バキュームブレーカのカバーを示す断面図、図５は前記バキュームブレーカの変形例を示す断面図である。
【００２３】
図１及び図２において、厨芥粉砕処理装置４は本体部４Ａの内方を粉砕処理室４ａとなされており、本体部４Ａには粉砕処理室４ａと連通された給水口４ｂが形成されている。厨芥粉砕処理装置４の投入口はシンク１の底面の排水口３に連通されていて蓋体４ｃにより閉鎖可能となされており、また厨芥粉砕処理装置４の処理物出口４ｄは排水管３Ａに接続されている。そして本体部４Ａの下側には粉砕処理のためのモータ４Ｂが固定されている。
【００２４】
バキュームブレーカ５は図３に示すように、円筒体となされた本体部５Ａと、該本体部５Ａの上面及び外周面を覆うものとしたカバー６とを備えている。本体部５Ａは基台部９、キャップ１０及び弁体１１からなっており、それぞれの詳細は次のとおりである。
【００２５】
即ち、基台部９は鍔部９ａを備えると共に、該鍔部９ａの上側に第１外周面部９ｂ、第２外周面部９ｃ及び第３外周面部９ｄを有し、この順に径を小さくなされており、また鍔部９ａの下側にこれよりも小径の外周面部９ｅを有し、該外周面部９ｅを雄ネジ部となされている。第１外周面部９ｂには環状のリング溝ａ１が形成されており、また鍔部９ａの下面に環状の凹み部ａ２が形成されている。該基台部９の中心個所には縦向き直状で断面を円形となされた一次側流路９ｆが形成されており、該一次側流路９ｆの上端は上方へ凸形状となされた第３外周面部９ｄの上端面に開口され、該開口が一次側流路の吐出口ａ３をなし、該吐出口ａ３の上面が越流面ａ４をなしている。また一次側流路９ｆの元側は吐出口ａ３に対し本体部５Ａ半径方向へずれていてこれの下端は基台部９の底面９ｇに開口されており、該開口が一次側流路の入口ａ５となされている。二次側流路９ｈは基台部９の中心から外れた位置に設けられ、且つ、縦向き直状で断面を円形となされると共に、上端が第２外周面部９ｃと第３外周面部９ｄとの境界に位置された環状半径面部９ｉに開口されていて、下端が基台部９の底面９ｇに開口され、該開口が二次側流路９ｉの出口ａ６となされている。
【００２６】
キャップ１０は周面部１０Ａと上面部１０Ｂを備えると共に、周面部１０Ａの下部内方に前記第１外周面部９ｂと前記第２外周面部９ｃのそれぞれに外嵌される第１内周面部１０ａと第２内周面部１０ｂとを具備し、第２内周面部１０ｂの上側は第３内周面部１０ｃとなされ、該第３内周面部１０ｃが第２外周面部１０ｂよりも少し小径となされており、また周面部１０Ａの最下部外面に第１外周面部１０ｄを具備し、これの上側を第１外周面部１０ｄよりも少し小径の第２外周面部１０ｅとなされており、さらに上面部１０Ｂの中心位置に比較的大きな径の空気取り入れ口１０ｆを形成されたものとなされている。この際、第１内周面部１０ａはリング溝ａ１に嵌着されたＯリング１２を介して基台部９の第１外周面部９ｂに密状に外嵌される。
【００２７】
弁体１１は周面部１１Ａと円錐状の上面部１１Ｂを備え、内方を袋部ｅ１となされたもので、周面部１１Ａの高さ途中に環状溝１１ａを形成されると共に周面部１１Ａの外周面上の４つの等角配置位置に径方向へ突出された縦向き凸状１１ｂを具備し、また周面部１１Ａの内方に円錐面からなる第１内周面部１１ｃと、第２内周面部１１ｄとを具備すると共に第２内周面部１１ｄの上端を閉鎖する天井面部１１ｅを具備し、該天井面部１１ｅの中央に円錐台形状の凹み穴１１ｆが形成されており、また上面部１１Ｂの円錐面の中央に前記空気取り入れ口１０ｆよりも小径となされた円盤部１１ｇをこれの外周部が径外方へ張り出すように形成され、該円盤部１１ｇで係止された状態の環状ゴムパッキン１３を上面部１１Ｂ上面に貼着されており、さらに周面部１１Ａと上面部１１Ｂを樹脂材で形成されて軽量となされている。該弁体１１は基台部９に嵌着されたキャップ１０の第３内周面部１０ｃ内で上下変位自在となされており、また袋部ｅ１が第３外周面部９ｄにおおいかぶさるように配置されている。
【００２８】
またキャップ１０はカバー６で覆われており、該カバー６は、周面部１４Ａと上面部１４Ｂを備え、図４に示すように、周面部１４Ａの比較的上寄り個所に複数の大気圧開放用の縦長透孔１４ａを形成されると共に、周面部１４Ａの下端縁の複数個所に切欠状の小穴１４ｂを形成されたものとなされている。該カバー６は周面部１４Ａの下端部内周面をキャップ１０の第１外周面部１０ｄに密状に外嵌されるもので、該外嵌状態においてキャップ１０の第２外周面部１０ｅとカバー６の周面部１４Ａの内周面との間には幾分の空隙が生じ、該空隙内に上側から進入した溢れ水が小穴１４ｂを通じて外方へ流出するものとなされる。
【００２９】
この際、図５に示すように、バキュームブレーカ５の本体部５Ａの外周ｇ１をテーパをつけた形状にし、カバー６とのすき間を設けるのが好ましい。このようにすれば、縦長透孔１４ａを通じた本体部５Ａの大気圧開放が円滑化されると共に、本体部５Ａからの溢れ水が小穴１４ｂを通じてカバー６の外方へ円滑に流出するものとなるほか、本体部５Ａへのカバー６の装着が容易化される。
【００３０】
ここで、バキュームブレーカ５の細部の構造に言及する。
基台部９の一次側流路９ｆの吐出口ａ３上面である越流面ａ４の高さは鍔部９ａの下面から２５ｍｍ以上で成る可く２５ｍｍに近い大きさとなされている。該２５ｍｍという寸法はＳＨＡＳＥの規定を充たすもので、負圧破壊性能を支障なく１３ｍｍ以下となすことのできるものである。また吐出口ａ３は本体部５Ａの内方に設けられた弁体１１の中心に対向させてあり、該吐出口ａ３と弁体１１との上下方向距離は可能な限り小さくなしてある。また該上下方向距離は吐出口ａ３と弁体１１との間に形成される流路断面積を二次側流路９ｈ断面積よりも小さくなすものであってはならならい。
【００３１】
また一次側流路９ｆの元側の直径ｄｌ、二次側流路９ｈの直径ｄ２、及び、一次側流路９ｆの吐出口ａ３の直径ｄ３がｄ２≦ｄ３≦ｄｌの関係を有するように決定されており、この際、一次側流路９ｆの元側と吐出口ａ３とは導通され、且つ一次側流路９ｆと二次側流路９ｈとは二次側流路９ｈが一次側流路９ｆの元側と吐出口ａ３との何れにも接触しないように平面視偏芯状に配置されている。ここでは二次側流路９ｈの直径ｄ２が最も小さくなされており、該直径ｄ２は厨芥粉砕処理装置４に必要とされる給水量から必然的に決定されるものである。
【００３２】
また一次側流路９ｆの吐出口ａ３の直径ｄ３は二次側流路９ｈの直径ｄ２の１．５倍以下となされており、このことは本体部５の直径を支障の生じないように小さくなす上で寄与するものであり、またキャップ１０の空気取り入れ口１０ｆの開口径は吐出口ａ３の直径ｄ３の１．５倍以上となされており、このことは負圧破壊性能を良好となす上で寄与するものである。
【００３３】
流し台の天板２には直径凡そ３５ｍｍ〜３８ｍｍ程度の取り付け孔２ａが明けてあり、上記バキュームブレーカ５の固定に際しては、雄ネジ部９ｅを該孔２ａの上方から挿入し、鍔部９ａの下面を天板２の上面に当接させ、次に合成ゴムのパッキン１５とポリエチレンのパッキン１６を雄ネジ部９ｅに外挿し、さらにナット体１７を雄ネジ部９ｅに螺着し締結する。
【００３４】
またバキュームブレーカ５の一次側流路９ｆの入口からは一次側給水系統６が延出されており、該給水系統６の途中に逆止弁１８及び電磁弁１９が上流側へ向けこの順に装着されている。電磁弁１９、逆止弁１８の順でも良い。該給水系統６の元側の端部は水道６Ａに接続されている。バキュームブレーカ５の二次側流路９ｈの出口からは二次側給水系統７が延出されており、該給水系統７の先端が厨芥粉砕処理装置４の本体部４Ａの給水口４ｂに接続されている。
図１中、２２は混合水栓であり、２３は温水系統である。
【００３５】
該電磁弁１９の開放により、水道６Ａの水が一次側給水系統６、電磁弁１９、逆止弁１８を経て一次側流路９ｆ内に流入し、吐出口ａ３から勢いよく噴出する。このように噴出した水はこれの水圧で弁体１１の中心を真上へ押し上げるようになり、弁体１１は袋部ｅ１を介し良好なバランス状態で上方へ円滑に移動し、上面部５Ｂ上面及び環状パッキン１３で、キャップ１０の空気取り入れ口１０ｆを閉鎖する。従って空気取り入れ口１０ｆからの漏水は生じない。
【００３６】
吐出口ａ３から流出した水はこの後、吐出口ａ３と弁体１１との間の空間及び二次側流路９ｈを通じて二次側給水系統７に流出するのであり、これにより水が厨芥粉砕処理装置４の本体部４Ａの給水口４ｂを経て粉砕処理室４ａ内に適当流量で供給される。
【００３７】
電磁弁１９が閉鎖されたときには、吐出口ａ３と弁体１１との間の空間内に吐出口ａ３から圧力水が供給されない状態となるのであり、一方では吐出口ａ３と弁体１１との間の空間内の水は二次側流路９ｈから厨芥粉砕処理装置４の粉砕処理室４ａを経て排水管３Ａへ向け流出されようとする。従って弁体１１は自重やサイフォン作用の負圧により降下し、空気取り入れ口１０ｆや、弁体１１の外周面とキャップ１０の第３内周面１０ｃとの間の隙間を経て大気が二次側流路９ｈ内に流入し、該流入によりサイフォン作用による負圧が破壊され、二次側流路９ｈ内の水は円滑に排水管３Ａ内へ流出するものとなる。
【００３８】
制御盤２０は電磁弁１９を開放状態に保持しているため、電磁弁１９は開放されたままの状態となる。これにより水道６Ａにおける逆サイフォン作用により一次側流路９ｆに負圧が作用する。該負圧は一次側給水系統６内の水に逆流を生じさせるため、逆止弁１８が瞬時に閉鎖される。一方では、吐出口ａ３から水が流出しない状態の下で、二次側流路９ｈ内の水が粉砕処理室４ａ内を経て排水管３Ａ内に流れ出ようとするため、弁体１１が直ちに降下して空気取り入れ口１０ｆが開放され、二次側流路９ｈ内に大気が流入するため、吐出口ａ３と弁体１１との間の空間内や二次側流路９ｈ内などの負圧が破壊され、二次側流路９ｈや二次側給水系統７の内方の水は円滑に粉砕処理室４ａを経て前記排水管３Ａに流出される。従って、二次側給水系統７の奥深くに被処理物が逆流する事態は確実に回避される。
【図面の簡単な説明】
【００３９】
【図１】本発明の一実施例に係る流し台厨芥処理装置の概要図である。
【図２】前記台厨芥処理装置の一部を省略した概要図である。
【図３】前記流し台厨芥処理装置のバキュームブレーカを示しＡは断面図でＢは底面図である。
【図４】前記バキュームブレーカのカバーを示す断面図である。
【図５】前記バキュームブレーカの変形例を示す断面図である。
【図６】前記バキュームブレーカの効果を説明するための説明図で、Ａは従来例でＢは本発明例を示すものである。
【図７】従来のバキュームブレーカを使用した流し台厨芥処理装置の概要図である。
【符号の説明】
【００４０】
２Ａ  取付け孔
５  バキュームブレーカ
５Ａ  バキュームブレーカ５の本体部
９ｅ  外周面（雄ネジ部）
９ｆ  一次側流路
９ｇ  底面
９ｈ  二次側流路
１０ｆ  空気取り入れ口
１１  弁体
１４  カバー
１４ａ  空気孔
１４ｂ  小穴
ａ３  吐出口
ａ４  越流面
ｄ１  直径
ｄ２  直径
ｄ３  直径
【図１】
2006342944.tif 000003
【図２】
2006342944.tif 000004
【図３】
2006342944.tif 000005
【図４】
2006342944.tif 000006
【図５】
2006342944.tif 000007
【図６】
2006342944.tif 000008
【図７】
2006342944.tif 000009